(57)【特許請求の範囲】
【請求項１】
着用者の背面または前面の一方に対応する部分を第１面とし、着用者の背面または前面の他方に対応する部分を第２面とし、着用者の体幹のうちの胸を含む部分を体幹上部とし、着用者の体幹のうちの腹を含む部分を体幹下部として、
腕の動きにともない体幹に力を付与する連動部が設けられること、
および、左半身または右半身の一方を「一方半身」とし、左半身または右半身のうちの前記一方半身とは反対の半身を「他方半身」とし、前記第１面において前記一方半身の体幹上部の脇に対応する部分を「第１面体幹上部分Ｚ１Ａ」とし、前記第１面の前記他方半身の体幹下部に対応する部分を「第１面体幹下部分Ｚ１Ｂ」とし、前記第２面において前記他方半身の体幹下部に対応する部分を「第２面体幹下部分Ｚ２Ｂ」として、前記第１面体幹上部分Ｚ１Ａから前記第２面体幹下部分Ｚ２Ｂまでにわたり、かつ前記第１面体幹下部分Ｚ１Ｂを通過して前記連動部が設けられること、
および、前記連動部において前記第１面体幹上部分Ｚ１Ａから前記第１面体幹下部分Ｚ１Ｂまでの部分が前記第１面を斜めに横断していること
を特徴とする体幹の回旋運動を促すことにより消費カロリーを増加させる運動補助着。
【請求項２】
着用者の背面または前面の一方に対応する部分を第１面とし、着用者の背面または前面の他方に対応する部分を第２面とし、着用者の体幹のうちの胸を含む部分を体幹上部とし、着用者の体幹のうちの腹を含む部分を体幹下部として、
腕の動きにともない体幹に力を付与する連動部が設けられること、
および、左半身または右半身の一方を「一方半身」とし、左半身または右半身のうちの前記一方半身とは反対の半身を「他方半身」とし、前記第１面において前記一方半身の体幹上部の脇に対応する部分を「第１面体幹上部分Ｚ１Ａ」とし、前記第２面の前記一方半身の体幹上部に対応する部分を「第２面体幹上部分Ｚ２Ａ」とし、前記第２面において前記他方半身の体幹下部に対応する部分を「第２面体幹下部分Ｚ２Ｂ」として、前記第１面体幹上部分Ｚ１Ａから前記第２面体幹下部分Ｚ２Ｂまでにわたり、かつ前記第２面体幹上部分Ｚ２Ａを通過して前記連動部が設けられること、
および、前記連動部において前記第２面体幹上部分Ｚ２Ａから前記第２面体幹下部分Ｚ２Ｂまでの部分が前記第２面を斜めに横断していること
を特徴とする体幹の回旋運動を促すことにより消費カロリーを増加させる運動補助着。
【請求項３】
請求項１または２に記載される体幹の回旋運動を促すことにより消費カロリーを増加させる運動補助着において、
この運動補助着が身頃を含むものであること、
および、前記連動部に縫い付けられる基礎部と前記連動部とを含めて前記身頃が構成されること、
および、前記連動部が前記基礎部よりも緊締力の強い生地で構成されること
を特徴とする体幹の回旋運動を促すことにより消費カロリーを増加させる運動補助着。
【請求項４】
請求項１、または請求項１を引用する請求項３に記載される体幹の回旋運動を促すことにより消費カロリーを増加させる運動補助着において、
前記連動部として連動部Ａおよび連動部Ｂが設けられること、
および、左半身を前記一方半身とする前記第１面体幹上部分Ｚ１Ａを「第１面体幹左上部分Ｚ１ＡＬ」とし、右半身を前記他方半身とする前記第１面体幹下部分Ｚ１Ｂを「第１面体幹右下部分Ｚ１ＢＲ」とし、右半身を前記他方半身とする前記第２面体幹下部分Ｚ２Ｂを「第２面体幹右下部分Ｚ２ＢＲ」として、前記第１面体幹左上部分Ｚ１ＡＬから前記第２面体幹右下部分Ｚ２ＢＲまでにわたり、かつ前記第１面体幹右下部分Ｚ１ＢＲを通過して前記連動部Ａが設けられること、
および、右半身を前記一方半身とする前記第１面体幹上部分Ｚ１Ａを「第１面体幹右上部分Ｚ１ＡＲ」とし、左半身を前記他方半身とする前記第１面体幹下部分Ｚ１Ｂを「第１面体幹左下部分Ｚ１ＢＬ」とし、左半身を前記他方半身とする前記第２面体幹下部分Ｚ２Ｂを「第２面体幹左下部分Ｚ２ＢＬ」として、前記第１面体幹右上部分Ｚ１ＡＲから前記第２面体幹左下部分Ｚ２ＢＬまでにわたり、かつ第１面体幹左下部分Ｚ１ＢＬを通過して前記連動部Ｂが設けられること、
および、前記第１面において前記連動部Ａと前記連動部Ｂとが重なり合うこと、
および、前記連動部Ａにおいて前記連動部Ｂに重なり合う部分を重なり部Ａとし、前記連動部Ｂにおいて前記連動部Ａに重なり合う部分を重なり部Ｂとして、前記重なり部Ａと前記重なり部Ｂとが互いに独立してそれぞれの重なり部に対応する腕の動きを体幹に伝えることができるように前記連動部Ａおよび前記連動部Ｂが構成されること
を特徴とする体幹の回旋運動を促すことにより消費カロリーを増加させる運動補助着。
【請求項５】
請求項２、または請求項２を引用する請求項３に記載される体幹の回旋運動を促すことにより消費カロリーを増加させる運動補助着において、
前記連動部として連動部Ａおよび連動部Ｂが設けられること、
および、左半身を前記一方半身とする前記第１面体幹上部分Ｚ１Ａを「第１面体幹左上部分Ｚ１ＡＬ」とし、左半身を前記一方半身とする前記第２面体幹上部分Ｚ２Ａを「第２面体幹左上部分Ｚ２ＡＬ」とし、右半身を前記他方半身とする前記第２面体幹下部分Ｚ２Ｂを「第２面体幹右下部分Ｚ２ＢＲ」として、前記第１面体幹左上部分Ｚ１ＡＬから前記第２面体幹右下部分Ｚ２ＢＲまでにわたり、かつ前記第２面体幹左上部分Ｚ２ＡＬを通過して前記連動部Ａが設けられること、
および、右半身を前記一方半身とする前記第１面体幹上部分Ｚ１Ａを「第１面体幹右上部分Ｚ１ＡＲ」とし、右半身を前記一方半身とする前記第２面体幹上部分Ｚ２Ａを「第２面体幹右上部分Ｚ２ＡＲ」とし、左半身を前記他方半身とする前記第２面体幹下部分Ｚ２Ｂを「第２面体幹左下部分Ｚ２ＢＬ」として、前記第１面体幹右上部分Ｚ１ＡＲから前記第２面体幹左下部分Ｚ２ＢＬまでにわたり、かつ第２面体幹右上部分Ｚ２ＡＲを通過して前記連動部Ｂが設けられること、
および、前記第２面において前記連動部Ａと前記連動部Ｂとが重なり合うこと、
および、前記連動部Ａにおいて前記連動部Ｂに重なり合う部分を重なり部Ａとし、前記連動部Ｂにおいて前記連動部Ａに重なり合う部分を重なり部Ｂとして、前記重なり部Ａと前記重なり部Ｂとが互いに独立してそれぞれの重なり部に対応する腕の動きを体幹に伝えることができるように前記連動部Ａおよび前記連動部Ｂが構成されること
を特徴とする体幹の回旋運動を促すことにより消費カロリーを増加させる運動補助着。
【請求項６】
着用者の背面または前面の一方に対応する部分を第１面とし、着用者の背面または前面の他方に対応する部分を第２面とし、着用者の体幹のうちの胸を含む部分を体幹上部とし、着用者の体幹のうちの腹を含む部分を体幹下部として、
腕の動きにともない体幹に力を付与する連動部が設けられること、
および、左半身または右半身の一方を「一方半身」とし、左半身または右半身のうちの前記一方半身とは反対の半身を「他方半身」とし、前記第１面において前記一方半身の体幹上部の脇に対応する部分を「第１面体幹上部分Ｚ１Ａ」とし、前記第１面の前記他方半身の体幹下部に対応する「第１面体幹下部分Ｚ１Ｂ」として、前記第１面体幹上部分Ｚ１Ａから前記第１面体幹下部分Ｚ１Ｂまでにわたり前記連動部が設けられること、
前記連動部として連動部Ａおよび連動部Ｂが設けられること、
および、左半身を前記一方半身とする前記第１面体幹上部分Ｚ１Ａを「第１面体幹左上部分Ｚ１ＡＬ」とし、右半身を前記他方半身とする前記第１面体幹下部分Ｚ１Ｂを「第１面体幹右下部分Ｚ１ＢＲ」として、前記第１面体幹左上部分Ｚ１ＡＬから前記第１面体幹右下部分Ｚ１ＢＲまでにわたり前記連動部Ａが設けられること、
および、右半身を前記一方半身とする前記第１面体幹上部分Ｚ１Ａを「第１面体幹右上部分Ｚ１ＡＲ」とし、左半身を前記他方半身とする前記第１面体幹下部分Ｚ１Ｂを「第１面体幹左下部分Ｚ１ＢＬ」として、前記第１面体幹右上部分Ｚ１ＡＲから前記第１面体幹左下部分Ｚ１ＢＬまでにわたり前記連動部Ｂが設けられること、
および、前記第１面において前記連動部Ａと前記連動部Ｂとが重なり合うこと、
および、前記連動部Ａにおいて前記連動部Ｂに重なり合う部分を重なり部Ａとし、前記連動部Ｂにおいて前記連動部Ａに重なり合う部分を重なり部Ｂとして、前記重なり部Ａと前記重なり部Ｂとが互いに独立してそれぞれの重なり部に対応する腕の動きを体幹に伝えることができるように、すなわち以下の（Ａ）および（Ｂ）の条件が満たされるように前記連動部Ａおよび前記連動部Ｂが構成されること
（Ａ）「前記連動部Ａの前記第１面体幹左上部分Ｚ１ＡＬの張力が前記重なり部Ａにおいて前記重なり部Ｂから独立して前記連動部Ａの前記第１面体幹右下部分Ｚ１ＢＲに伝えられること」
（Ｂ）「前記連動部Ｂの前記第１面体幹右上部分Ｚ１ＡＲの張力が前記重なり部Ｂにおいて前記重なり部Ａから独立して前記連動部Ｂの前記第１面体幹左下部分Ｚ１ＢＬに伝えられること」
を特徴とする体幹の回旋運動を促すことにより消費カロリーを増加させる運動補助着。
【請求項７】
請求項６に記載される体幹の回旋運動を促すことにより消費カロリーを増加させる運動補助着において、
この運動補助着が身頃を含むものであること、
および、前記連動部に縫い付けられる基礎部と前記連動部とを含めて前記身頃が構成されること、
および、前記連動部が前記基礎部よりも緊締力の強い生地で構成されること
を特徴とする体幹の回旋運動を促すことにより消費カロリーを増加させる運動補助着。
【請求項８】
請求項４〜７のいずれか一項に記載される体幹の回旋運動を促すことにより消費カロリーを増加させる運動補助着において、
前記連動部Ａと前記連動部Ｂとを互いに接続する接続部が設けられること、
および、前記重なり部Ａおよび前記重なり部Ｂが互いに重なり合う部分に前記接続部が設けられること、
および、前記重なり部Ａおよび前記重なり部Ｂが互いに重なり合う部分に前記重なり部Ａおよび前記重なり部Ｂのうちの少なくとも一方に接触して前記接続部が設けられること
を特徴とする体幹の回旋運動を促すことにより消費カロリーを増加させる運動補助着。
【請求項９】
請求項１〜８のいずれか一項に記載される体幹の回旋運動を促すことにより消費カロリーを増加させる運動補助着において、
腕に対応する部分から前記第１面体幹上部分Ｚ１Ａまでの部分を含めて前記連動部が構成されること
を特徴とする体幹の回旋運動を促すことにより消費カロリーを増加させる運動補助着。
【請求項１０】
請求項９に記載される体幹の回旋運動を促すことにより消費カロリーを増加させる運動補助着において、
前記連動部において前記腕に対応する部分には肘に対応する部分が設けられること
を特徴とする体幹の回旋運動を促すことにより消費カロリーを増加させる運動補助着。
【請求項１１】
請求項９または１０に記載される体幹の回旋運動を促すことにより消費カロリーを増加させる運動補助着において、
前記連動部において前記腕に対応する部分が腕に螺旋状に巻きつくように設けられること
を特徴とする体幹の回旋運動を促すことにより消費カロリーを増加させる運動補助着。
【請求項１２】
請求項９〜１１のいずれか一項に記載される体幹の回旋運動を促すことにより消費カロリーを増加させる運動補助着において、
この運動補助着が長袖を含むものであること、
および、左手首または右手首の一方の手首に対応する部分から前記第１面体幹上部分Ｚ１Ａまでの部分を含めて前記連動部が構成されること
を特徴とする体幹の回旋運動を促すことにより消費カロリーを増加させる運動補助着。
【請求項１３】
請求項３または４または８〜１２のいずれか一項において請求項１を引用するものを引用項として、請求項１または引用項に記載される体幹の回旋運動を促すことにより消費カロリーを増加させる運動補助着において、
前記第２面において前記一方半身の体幹下部に対応する部分を「一方半身体幹下部分」として、
前記第１面体幹上部分Ｚ１Ａから前記第２面体幹下部分Ｚ２Ｂを経由するとともに前記第２面の中間部分を横断して前記一方半身体幹下部分までにわたり前記連動部が設けられること
を特徴とする体幹の回旋運動を促すことにより消費カロリーを増加させる運動補助着。
【請求項１４】
請求項１〜１３のいずれか一項に記載される体幹の回旋運動を促すことにより消費カロリーを増加させる運動補助着において、
腕の動きにより体幹を動かす補助連動部が前記連動部とは各別に設けられること、
および、前記補助連動部が前記第２面の中間部分を横断して設けられること、
および、前記他方半身の体幹上部に対応する部分から前記第２面の中間部分を横断して前記一方半身の体幹上部に対応する部分までにわたり前記補助連動部が設けられること
を特徴とする体幹の回旋運動を促すことにより消費カロリーを増加させる運動補助着。
【請求項１５】
請求項３または４または８〜１３のいずれか一項において請求項１を引用するものを引用項として、請求項１を引用する請求項１４、または引用項を引用する請求項１４に記載される体幹の回旋運動を促すことにより消費カロリーを増加させる運動補助着において、
前記第１面において前記他方半身の体幹上部の脇に対応する部分を他方脇部分として、前記補助連動部が前記第１面体幹上部分Ｚ１Ａの下部から前記第２面の中間部分を横断して前記他方脇部分までにわたり設けられていること、
および、前記第１面において前記第１面体幹上部分Ｚ１Ａの上部に前記補助連動部の一部としての分離部が設けられること、
および、前記第１面体幹上部分Ｚ１Ａに対応する前記連動部の下部に前記補助連動部が接続されること、
および、前記第１面体幹上部分Ｚ１Ａに対応する前記連動部の上部に前記分離部が接続されること
を特徴とする体幹の回旋運動を促すことにより消費カロリーを増加させる運動補助着。
【請求項１６】
請求項１５に記載される体幹の回旋運動を促すことにより消費カロリーを増加させる運動補助着において、
前記補助連動部が前記連動部よりも緊締力の弱い生地により構成されること
を特徴とする体幹の回旋運動を促すことにより消費カロリーを増加させる運動補助着。
【請求項１７】
請求項１〜１６のいずれか一項に記載される体幹の回旋運動を促すことにより消費カロリーを増加させる運動補助着において、
この運動補助着が袖を含むものであること、
腕が振られたときに腕に対する前記袖の移動を妨げるずれ抑制部が前記袖に設けられること
を特徴とする体幹の回旋運動を促すことにより消費カロリーを増加させる運動補助着。
【発明の詳細な説明】
【技術分野】
【０００１】
本発明は、消費カロリーを増加させる運動補助着に関する。
【背景技術】
【０００２】
肩付近の筋肉を鍛えるために衣服の一部に緊締力の強い生地を設けた上半身用の衣服が知られている。こうした衣服として、例えば特許文献１に記載のものが知られている。
特許文献１に記載の衣服を着用した着用者は、生地から肩および腕に付与される負荷に対抗して腕を動かすことにより、肩付近の筋肉を鍛えることができる。
【先行技術文献】
【特許文献】
【０００３】
【特許文献１】特開２００８−７５２１６号公報
【発明の概要】
【発明が解決しようとする課題】
【０００４】
ところで、運動補助着としては、腹回りのシェイプアップに役立つものが望まれている。しかし、上記特許文献１の衣服は、肩付近の筋肉を鍛えることができるものの、腹回りの筋肉を鍛えることについてはあまり役立たないと考えられる。
【０００５】
一方、本願発明者は腹回りのシェイプアップの効果を高めるためには、腕の動きを利用して体幹の下部を動かすことが望ましいということに想到したが、このような機能を有する運動補助着はいまのところ提案されていない。
【０００６】
本発明はこのような実情に鑑みてなされたものであり、その目的は、腕の動きにより体幹の下部を動かすことのできる運動補助着を提供することにある。
【課題を解決するための手段】
【０００７】
以下、上記目的を達成するための手段およびその作用効果について記載する。
（１）請求項１に記載の発明は、着用者の背面または前面の一方に対応する部分を第１面とし、着用者の背面または前面の他方に対応する部分を第２面とし、着用者の体幹のうちの胸を含む部分を体幹上部とし、着用者の体幹のうちの腹を含む部分を体幹下部として、腕の動きにともない体幹に力を付与する連動部が設けられること、および、左半身または右半身の一方を「一方半身」とし、左半身または右半身のうちの前記一方半身とは反対の半身を「他方半身」とし、前記第１面において前記一方半身の体幹上部の脇に対応する部分を「第１面体幹上部分Ｚ１Ａ」とし、前記第１面の前記他方半身の体幹下部に対応する部分を「第１面体幹下部分Ｚ１Ｂ」とし、前記第２面において前記他方半身の体幹下部に対応する部分を「第２面体幹下部分Ｚ２Ｂ」として、前記第１面体幹上部分Ｚ１Ａから前記第２面体幹下部分Ｚ２Ｂまでにわたり、かつ前記第１面体幹下部分Ｚ１Ｂを通過して前記連動部が設けられること、および、前記連動部において前記第１面体幹上部分Ｚ１Ａから前記第１面体幹下部分Ｚ１Ｂまでの部分が前記第１面を斜めに横断していることを要旨としている。
【０００８】
上記発明の運動補助着には、腕の動きにともない体幹に力を付与する連動部が設けられている。このため、当該運動補助着を着用した着用者の腕が肩関節まわりで動かされたとき、以下の（Ａ）〜（Ｈ）のように体幹に力が作用する。
【０００９】
（Ａ）運動補助着の一形態においては、着用者の背面が第１面に相当し、着用者の前面が第２面に相当し、背面の左半身の体幹上部に対応する部分から背面の中間部分を横断して前面の右半身の体幹下部に対応する部分までにわたり連動部が設けられる。
【００１０】
この場合、左腕が前方に振られることにともない、連動部において右半身の体幹下部に対応する部分が左半身の体幹上部に対応する部分に向けて引っ張られる。これにより、連動部の動きに連動して右半身の体幹下部が右半身側から左半身側に向けて引っ張られるため、体幹を右回りで回転させようとする力が体幹に作用する。
【００１１】
（Ｂ）運動補助着の一形態においては、着用者の背面が第１面に相当し、着用者の前面が第２面に相当し、背面の左半身の体幹上部に対応する部分から前面の中間部分を横断して前面の右半身の体幹下部に対応する部分までにわたり連動部が設けられる。
【００１２】
この場合、左腕が後方に振られることにともない、連動部において右半身の体幹下部に対応する部分が左半身の体幹上部に対応する部分に向けて引っ張られる。これにより、連動部の動きに連動して右半身の体幹下部が右半身側から左半身側に向けて引っ張られるため、体幹を左回りで回転させようとする力が体幹に作用する。
【００１３】
（Ｃ）運動補助着の一形態においては、着用者の背面が第１面に相当し、着用者の前面が第２面に相当し、背面の右半身の体幹上部に対応する部分から背面の中間部分を横断して前面の左半身の体幹下部に対応する部分までにわたり連動部が設けられる。
【００１４】
この場合、右腕が前方に振られることにともない、連動部において左半身の体幹下部に対応する部分が右半身の体幹上部に対応する部分に向けて引っ張られる。これにより、連動部の動きに連動して左半身の体幹下部が左半身側から右半身側に向けて引っ張られるため、体幹を左回りで回転させようとする力が体幹に作用する。
【００１５】
（Ｄ）運動補助着の一形態においては、着用者の背面が第１面に相当し、着用者の前面が第２面に相当し、背面の右半身の体幹上部に対応する部分から前面の中間部分を横断して前面の左半身の体幹下部に対応する部分までにわたり連動部が設けられる。
【００１６】
この場合、右腕が後方に振られることにともない、連動部において左半身の体幹下部に対応する部分が右半身の体幹上部に対応する部分に向けて引っ張られる。これにより、連動部の動きに連動して左半身の体幹下部が左半身側から右半身側に向けて引っ張られるため、体幹を右回りで回転させようとする力が体幹に作用する。
【００１７】
（Ｅ）運動補助着の一形態においては、着用者の前面が第１面に相当し、着用者の背面が第２面に相当し、前面の左半身の体幹上部に対応する部分から前面の中間部分を横断して背面の右半身の体幹下部に対応する部分までにわたり連動部が設けられる。
【００１８】
この場合、左腕が後方に振られることにともない、連動部において右半身の体幹下部に対応する部分が左半身の体幹上部に対応する部分に向けて引っ張られる。これにより、連動部の動きに連動して右半身の体幹下部が右半身側から左半身側に向けて引っ張られるため、体幹を左回りで回転させようとする力が体幹に作用する。
【００１９】
（Ｆ）運動補助着の一形態においては、着用者の前面が第１面に相当し、着用者の背面が第２面に相当し、前面の左半身の体幹上部に対応する部分から背面の中間部分を横断して背面の右半身の体幹下部に対応する部分までにわたり連動部が設けられる。
【００２０】
この場合、左腕が前方に振られることにともない、連動部において右半身の体幹下部に対応する部分が左半身の体幹上部に対応する部分に向けて引っ張られる。これにより、連動部の動きに連動して右半身の体幹下部が右半身側から左半身側に向けて引っ張られるため、体幹を右回りで回転させようとする力が体幹に作用する。
【００２１】
（Ｇ）運動補助着の一形態においては、着用者の前面が第１面に相当し、着用者の背面が第２面に相当し、前面の右半身の体幹上部に対応する部分から前面の中間部分を横断して背面の左半身の体幹下部に対応する部分までにわたり連動部が設けられる。
【００２２】
この場合、右腕が後方に振られることにともない、連動部において左半身の体幹下部に対応する部分が右半身の体幹上部に対応する部分に向けて引っ張られる。これにより、連動部の動きに連動して左半身の体幹下部が左半身側から右半身側に向けて引っ張られるため、体幹を右回りで回転させようとする力が体幹に作用する。
【００２３】
（Ｈ）運動補助着の一形態においては、着用者の前面が第１面に相当し、着用者の背面が第２面に相当し、前面の右半身の体幹上部に対応する部分から背面の中間部分を横断して背面の左半身の体幹下部に対応する部分までにわたり連動部が設けられる。
【００２４】
この場合、右腕が前方に振られることにともない、連動部において左半身の体幹下部に対応する部分が右半身の体幹上部に対応する部分に向けて引っ張られる。これにより、連動部の動きに連動して左半身の体幹下部が左半身側から右半身側に向けて引っ張られるため、体幹を左回りで回転させようとする力が体幹に作用する。
【００２５】
以上、上記発明の運動補助着を着用した場合、腕の動きにより体幹を右回りまたは左回りで回転させようとする力が体幹に作用するため、腕を動かす動作にともない腹周りの筋肉も動かされる。また、連動部において体幹上部に対応する部分と連動部において体幹下部に対応する部分とがそれぞれ着用者の前面または背面に設けられるため、連動部の各部分がともに前面または背面に設けられる場合と比較して、腕の動きにともなう体幹の動きがより大きくなる。
【００２６】
（２）請求項２に記載の発明は、着用者の背面または前面の一方に対応する部分を第１面とし、着用者の背面または前面の他方に対応する部分を第２面とし、着用者の体幹のうちの胸を含む部分を体幹上部とし、着用者の体幹のうちの腹を含む部分を体幹下部として、腕の動きにともない体幹に力を付与する連動部が設けられること、および、左半身または右半身の一方を「一方半身」とし、左半身または右半身のうちの前記一方半身とは反対の半身を「他方半身」とし、前記第１面において前記一方半身の体幹上部の脇に対応する部分を「第１面体幹上部分Ｚ１Ａ」とし、前記第２面の前記一方半身の体幹上部に対応する部分を「第２面体幹上部分Ｚ２Ａ」とし、前記第２面において前記他方半身の体幹下部に対応する部分を「第２面体幹下部分Ｚ２Ｂ」として、前記第１面体幹上部分Ｚ１Ａから前記第２面体幹下部分Ｚ２Ｂまでにわたり、かつ前記第２面体幹上部分Ｚ２Ａを通過して前記連動部が設けられること、および、前記連動部において前記第２面体幹上部分Ｚ２Ａから前記第２面体幹下部分Ｚ２Ｂまでの部分が前記第２面を斜めに横断していることを要旨としている。
（３）請求項３に記載の発明は、請求項１または２に記載される体幹の回旋運動を促すことにより消費カロリーを増加させる運動補助着において、この運動補助着が身頃を含むものであること、および、前記連動部に縫い付けられる基礎部と前記連動部とを含めて前記身頃が構成されること、および、前記連動部が前記基礎部よりも緊締力の強い生地で構成されることを要旨としている。
【００２７】
（４）請求項４に記載の発明は、請求項１、または請求項１を引用する請求項３に記載される体幹の回旋運動を促すことにより消費カロリーを増加させる運動補助着において、前記連動部として連動部Ａおよび連動部Ｂが設けられること、および、左半身を前記一方半身とする前記第１面体幹上部分Ｚ１Ａを「第１面体幹左上部分Ｚ１ＡＬ」とし、右半身を前記他方半身とする前記第１面体幹下部分Ｚ１Ｂを「第１面体幹右下部分Ｚ１ＢＲ」とし、右半身を前記他方半身とする前記第２面体幹下部分Ｚ２Ｂを「第２面体幹右下部分Ｚ２ＢＲ」として、前記第１面体幹左上部分Ｚ１ＡＬから前記第２面体幹右下部分Ｚ２ＢＲまでにわたり、かつ前記第１面体幹右下部分Ｚ１ＢＲを通過して前記連動部Ａが設けられること、および、右半身を前記一方半身とする前記第１面体幹上部分Ｚ１Ａを「第１面体幹右上部分Ｚ１ＡＲ」とし、左半身を前記他方半身とする前記第１面体幹下部分Ｚ１Ｂを「第１面体幹左下部分Ｚ１ＢＬ」とし、左半身を前記他方半身とする前記第２面体幹下部分Ｚ２Ｂを「第２面体幹左下部分Ｚ２ＢＬ」として、前記第１面体幹右上部分Ｚ１ＡＲから前記第２面体幹左下部分Ｚ２ＢＬまでにわたり、かつ第１面体幹左下部分Ｚ１ＢＬを通過して前記連動部Ｂが設けられること、および、前記第１面において前記連動部Ａと前記連動部Ｂとが重なり合うこと、および、前記連動部Ａにおいて前記連動部Ｂに重なり合う部分を重なり部Ａとし、前記連動部Ｂにおいて前記連動部Ａに重なり合う部分を重なり部Ｂとして、前記重なり部Ａと前記重なり部Ｂとが互いに独立してそれぞれの重なり部に対応する腕の動きを体幹に伝えることができるように前記連動部Ａおよび前記連動部Ｂが構成されることを要旨としている。
（５）請求項５に記載の発明は、請求項２、または請求項２を引用する請求項３に記載される体幹の回旋運動を促すことにより消費カロリーを増加させる運動補助着において、前記連動部として連動部Ａおよび連動部Ｂが設けられること、および、左半身を前記一方半身とする前記第１面体幹上部分Ｚ１Ａを「第１面体幹左上部分Ｚ１ＡＬ」とし、左半身を前記一方半身とする前記第２面体幹上部分Ｚ２Ａを「第２面体幹左上部分Ｚ２ＡＬ」とし、右半身を前記他方半身とする前記第２面体幹下部分Ｚ２Ｂを「第２面体幹右下部分Ｚ２ＢＲ」として、前記第１面体幹左上部分Ｚ１ＡＬから前記第２面体幹右下部分Ｚ２ＢＲまでにわたり、かつ前記第２面体幹左上部分Ｚ２ＡＬを通過して前記連動部Ａが設けられること、および、右半身を前記一方半身とする前記第１面体幹上部分Ｚ１Ａを「第１面体幹右上部分Ｚ１ＡＲ」とし、右半身を前記一方半身とする前記第２面体幹上部分Ｚ２Ａを「第２面体幹右上部分Ｚ２ＡＲ」とし、左半身を前記他方半身とする前記第２面体幹下部分Ｚ２Ｂを「第２面体幹左下部分Ｚ２ＢＬ」として、前記第１面体幹右上部分Ｚ１ＡＲから前記第２面体幹左下部分Ｚ２ＢＬまでにわたり、かつ第２面体幹右上部分Ｚ２ＡＲを通過して前記連動部Ｂが設けられること、および、前記第２面において前記連動部Ａと前記連動部Ｂとが重なり合うこと、および、前記連動部Ａにおいて前記連動部Ｂに重なり合う部分を重なり部Ａとし、前記連動部Ｂにおいて前記連動部Ａに重なり合う部分を重なり部Ｂとして、前記重なり部Ａと前記重なり部Ｂとが互いに独立してそれぞれの重なり部に対応する腕の動きを体幹に伝えることができるように前記連動部Ａおよび前記連動部Ｂが構成されることを要旨としている。
【００２８】
上記発明では、重なり部Ａと重なり部Ｂとが互いに独立してそれぞれの重なり部に対応する腕の動きを体幹に伝えることができるように連動部Ａおよび連動部Ｂが構成されているため、各重なり部が独立して腕の動きを体幹に伝えることができない構成と比較して、腕から体幹により大きな力を伝えることができる。
【００２９】
（６）請求項６に記載の発明は、着用者の背面または前面の一方に対応する部分を第１面とし、着用者の背面または前面の他方に対応する部分を第２面とし、着用者の体幹のうちの胸を含む部分を体幹上部とし、着用者の体幹のうちの腹を含む部分を体幹下部として、腕の動きにともない体幹に力を付与する連動部が設けられること、および、左半身または右半身の一方を「一方半身」とし、左半身または右半身のうちの前記一方半身とは反対の半身を「他方半身」とし、前記第１面において前記一方半身の体幹上部の脇に対応する部分を「第１面体幹上部分Ｚ１Ａ」とし、前記第１面の前記他方半身の体幹下部に対応する「第１面体幹下部分Ｚ１Ｂ」として、前記第１面体幹上部分Ｚ１Ａから前記第１面体幹下部分Ｚ１Ｂまでにわたり前記連動部が設けられること、前記連動部として連動部Ａおよび連動部Ｂが設けられること、および、左半身を前記一方半身とする前記第１面体幹上部分Ｚ１Ａを「第１面体幹左上部分Ｚ１ＡＬ」とし、右半身を前記他方半身とする前記第１面体幹下部分Ｚ１Ｂを「第１面体幹右下部分Ｚ１ＢＲ」として、前記第１面体幹左上部分Ｚ１ＡＬから前記第１面体幹右下部分Ｚ１ＢＲまでにわたり前記連動部Ａが設けられること、および、右半身を前記一方半身とする前記第１面体幹上部分Ｚ１Ａを「第１面体幹右上部分Ｚ１ＡＲ」とし、左半身を前記他方半身とする前記第１面体幹下部分Ｚ１Ｂを「第１面体幹左下部分Ｚ１ＢＬ」として、前記第１面体幹右上部分Ｚ１ＡＲから前記第１面体幹左下部分Ｚ１ＢＬまでにわたり前記連動部Ｂが設けられること、および、前記第１面において前記連動部Ａと前記連動部Ｂとが重なり合うこと、および、前記連動部Ａにおいて前記連動部Ｂに重なり合う部分を重なり部Ａとし、前記連動部Ｂにおいて前記連動部Ａに重なり合う部分を重なり部Ｂとして、前記重なり部Ａと前記重なり部Ｂとが互いに独立してそれぞれの重なり部に対応する腕の動きを体幹に伝えることができるように、すなわち以下の（Ａ）および（Ｂ）の条件が満たされるように前記連動部Ａおよび前記連動部Ｂが構成されること
（Ａ）「前記連動部Ａの前記第１面体幹左上部分Ｚ１ＡＬの張力が前記重なり部Ａにおいて前記重なり部Ｂから独立して前記連動部Ａの前記第１面体幹右下部分Ｚ１ＢＲに伝えられること」
（Ｂ）「前記連動部Ｂの前記第１面体幹右上部分Ｚ１ＡＲの張力が前記重なり部Ｂにおいて前記重なり部Ａから独立して前記連動部Ｂの前記第１面体幹左下部分Ｚ１ＢＬに伝えられること」
を要旨としている。
【００３０】
上記発明の運動補助着には、腕の動きにより体幹を動かす連動部が設けられている。このため、当該運動補助着を着用した着用者の腕が肩関節まわりで動かされたとき、以下の（Ａ）〜（Ｄ）のように体幹に力が作用する。
【００３１】
（Ａ）運動補助着の一形態においては、着用者の背面が第１面に相当し、着用者の前面が第２面に相当し、背面の左半身の体幹上部に対応する部分から背面の中間部分を横断して背面または前面の右半身の体幹下部に対応する部分までにわたり連動部が設けられる。
【００３２】
この場合、左腕が前方に振られることにともない、連動部において右半身の体幹下部に対応する部分が左半身の体幹上部に対応する部分に向けて引っ張られる。これにより、連動部の動きに連動して右半身の体幹下部が右半身側から左半身側に向けて引っ張られるため、体幹を右回りで回転させようとする力が体幹に作用する。
【００３３】
（Ｂ）運動補助着の一形態においては、着用者の前面が第１面に相当し、着用者の背面が第２面に相当し、前面の左半身の体幹上部に対応する部分から前面の中間部分を横断して前面または背面の右半身の体幹下部に対応する部分までにわたり連動部が設けられる。
【００３４】
この場合、左腕が後方に振られることにともない、連動部において右半身の体幹下部に対応する部分が左半身の体幹上部に対応する部分に向けて引っ張られる。これにより、連動部の動きに連動して右半身の体幹下部が右半身側から左半身側に向けて引っ張られるため、体幹を左回りで回転させようとする力が体幹に作用する。
【００３５】
（Ｃ）運動補助着の一形態においては、着用者の背面が第１面に相当し、着用者の前面が第２面に相当し、背面の右半身の体幹上部に対応する部分から背面の中間部分を横断して背面または前面の左半身の体幹下部に対応する部分までにわたり連動部が設けられる。
【００３６】
この場合、右腕が前方に振られることにともない、連動部において左半身の体幹下部に対応する部分が右半身の体幹上部に対応する部分に向けて引っ張られる。これにより、連動部の動きに連動して左半身の体幹下部が左半身側から右半身側に向けて引っ張られるため、体幹を左回りで回転させようとする力が体幹に作用する。
【００３７】
（Ｄ）運動補助着の一形態においては、着用者の前面が第１面に相当し、着用者の背面が第２面に相当し、前面の右半身の体幹上部に対応する部分から前面の中間部分を横断して前面または背面の左半身の体幹下部に対応する部分までにわたり連動部が設けられる。
【００３８】
この場合、右腕が後方に振られることにともない、連動部において左半身の体幹下部に対応する部分が右半身の体幹上部に対応する部分に向けて引っ張られる。これにより、連動部の動きに連動して左半身の体幹下部が左半身側から右半身側に向けて引っ張られるため、体幹を右回りで回転させようとする力が体幹に作用する。
【００３９】
また上記発明では、重なり部Ａと重なり部Ｂとが互いに独立してそれぞれの重なり部に対応する腕の動きを体幹に伝えることができるように連動部Ａおよび連動部Ｂが構成されているため、各重なり部が独立して腕の動きを体幹に伝えることができない構成と比較して、腕から体幹により大きな力を伝えることができる。
【００４０】
（７）請求項７に記載の発明は、請求項６に記載される体幹の回旋運動を促すことにより消費カロリーを増加させる運動補助着において、この運動補助着が身頃を含むものであること、および、前記連動部に縫い付けられる基礎部と前記連動部とを含めて前記身頃が構成されること、および、前記連動部が前記基礎部よりも緊締力の強い生地で構成されることを要旨としている。
【００４１】
（８）請求項８に記載の発明は、請求項４〜７のいずれか一項に記載される体幹の回旋運動によって消費カロリーを増加させる運動補助着において、前記連動部Ａと前記連動部Ｂとを互いに接続する接続部が設けられること、および、前記重なり部Ａおよび前記重なり部Ｂが互いに重なり合う部分に前記接続部が設けられること、および、前記重なり部Ａおよび前記重なり部Ｂが互いに重なり合う部分において前記重なり部Ａおよび前記重なり部Ｂのうちの少なくとも一方に接触して前記接続部が設けられることを要旨としている。
【００４２】
連動部Ａおよび連動部Ｂが互いに独立している運動補助着によれば、連動部Ａおよび連動部Ｂに捩れが生じることがある。上記発明によれば、重なり部Ａおよび重なり部Ｂのうちの少なくとも一方に接触して接続部が設けられているため、連動部Ａおよび連動部Ｂが捩れることを抑制することができる。
【００４３】
（９）請求項９に記載の発明は、請求項１〜８のいずれか一項に記載される体幹の回旋運動を促すことにより消費カロリーを増加させる運動補助着において、腕に対応する部分から前記第１面体幹上部分Ｚ１Ａまでの部分を含めて前記連動部が構成されることを要旨としている。
【００４４】
上記発明によれば、腕に対応する部分が連動部に含まれるため、腕の動きにともない連動部が腕から受ける力が大きくなる。これにより、連動部を介して体幹に伝えられる力をより大きくすることができる。
【００４５】
（１０）請求項１０に記載の発明は、請求項９に記載される体幹の回旋運動を促すことにより消費カロリーを増加させる運動補助着において、前記連動部において前記腕に対応する部分には肘に対応する部分が設けられることを要旨としている。
【００４６】
上記発明によれば、肩関節まわりの動きに加えて肘が曲げられる動きによっても連動部に力が付与される。このため、肘が曲げられたときにも連動部により体幹下部を引っ張ることができる。
【００４７】
（１１）請求項１１に記載の発明は、請求項９または１０に記載される体幹の回旋運動を促すことにより消費カロリーを増加させる運動補助着において、前記連動部において前記腕に対応する部分が腕に螺旋状に巻きつくように設けられることを要旨としている。
【００４８】
上記発明によれば、連動部が腕に螺旋状に巻きつくように設けられるため、運動補助着が着用者の腕からずれにくくなる。これにより、腕が動かされたときの力をより適切に体幹に伝えることができる。
【００４９】
（１２）請求項１２に記載の発明は、請求項９〜１１のいずれか一項に記載される体幹の回旋運動を促すことにより消費カロリーを増加させる運動補助着において、この運動補助着が長袖を含むものであること、および、左手首または右手首の一方の手首に対応する部分から前記第１面体幹上部分Ｚ１Ａまでの部分を含めて前記連動部が構成されることを要旨としている。
【００５０】
上記発明によれば、長袖の手首に対応する部分が連動部に含まれるため、腕の動きにともない連動部が腕から受ける力が大きくなる。これにより、連動部を介して体幹に伝えられる力をより大きくすることができる。
【００５１】
（１３）請求項１３に記載の発明は、請求項３または４または８〜１２のいずれか一項において請求項１を引用するものを引用項として、請求項１または引用項に記載される体幹の回旋運動を促すことにより消費カロリーを増加させる運動補助着において、前記第２面において前記一方半身の体幹下部に対応する部分を「一方半身体幹下部分」として、前記第１面体幹上部分Ｚ１Ａから前記第２面体幹下部分Ｚ２Ｂを経由するとともに前記第２面の中間部分を横断して前記一方半身体幹下部分までにわたり前記連動部が設けられることを特徴としている。
【００５２】
上記発明によれば、連動部が体幹下部において前記第２面の中間部分を横断して前記第２面の左半身または右半身の一方の体幹下部に対応する部分までにわたり延長されている。これにより、腕の動きにともなう体幹の動きをより大きくすることができる。
【００５３】
（１４）請求項１４に記載の発明は、請求項１〜１３のいずれか一項に記載される体幹の回旋運動を促すことにより消費カロリーを増加させる運動補助着において、腕の動きにより体幹を動かす補助連動部が前記連動部とは各別に設けられること、および、前記補助連動部が前記第２面の中間部分を横断して設けられること、および、前記他方半身の体幹上部に対応する部分から前記第２面の中間部分を横断して前記一方半身の体幹上部に対応する部分までにわたり前記補助連動部が設けられることを要旨としている。
【００５４】
上記発明の運動補助着には、腕の動きにともない体幹に力を付与する補助連動部が設けられている。このため、当該運動補助着を着用した着用者の腕が肩関節まわりで動かされたとき、連動部および補助連動部により以下の（Ａ）〜（Ｄ）のように体幹に力が作用する。
【００５５】
（Ａ）運動補助着の一形態においては、連動部が背面の左半身の体幹上部に対応する部分から背面の中間部分を横断して背面または前面の右半身の体幹下部に対応する部分までにわたり設けられ、補助連動部が右半身の体幹上部に対応する部分から前面の中間部分を横断して左半身の体幹上部に対応する部分までにわたり設けられる。
【００５６】
この場合、左腕が前方に振られることにともない、連動部により体幹を右回りで回転させようとする力が体幹に作用する。また、右腕が後方に振られることにともない、補助連動部において左半身の体幹上部に対応する部分が右半身の体幹上部に対応する部分に向けて引っ張られる。これにより、補助連動部の動きに連動して左半身の体幹上部が左半身側から右半身側に向けて引っ張られるため、体幹を右回りで回転させようとする力が体幹に作用する。
【００５７】
（Ｂ）運動補助着の一形態においては、連動部が背面の右半身の体幹上部に対応する部分から背面の中間部分を横断して背面または前面の左半身の体幹下部に対応する部分までにわたり設けられ、補助連動部が左半身の体幹上部に対応する部分から前面の中間部分を横断して右半身の体幹上部に対応する部分までにわたり設けられる。
【００５８】
この場合、右腕が前方に振られることにともない、連動部により体幹を左回りで回転させようとする力が体幹に作用する。また、左腕が後方に振られることにともない、補助連動部において右半身の体幹上部に対応する部分が左半身の体幹上部に対応する部分に向けて引っ張られる。これにより、補助連動部の動きに連動して右半身の体幹上部が右半身側から左半身側に向けて引っ張られるため、体幹を左回りで回転させようとする力が体幹に作用する。
【００５９】
（Ｃ）運動補助着の一形態においては、連動部が前面の左半身の体幹上部に対応する部分から前面の中間部分を横断して前面または背面の右半身の体幹下部に対応する部分までにわたり設けられ、補助連動部が右半身の体幹上部に対応する部分から背面の中間部分を横断して左半身の体幹上部に対応する部分までにわたり設けられる。
【００６０】
この場合、左腕が後方に振られることにともない、連動部により体幹を左回りで回転させようとする力が体幹に作用する。また、右腕が前方に振られることにともない、補助連動部において左半身の体幹上部に対応する部分が右半身の体幹上部に対応する部分に向けて引っ張られる。これにより、補助連動部の動きに連動して左半身の体幹上部が左半身側から右半身側に向けて引っ張られるため、体幹を左回りで回転させようとする力が体幹に作用する。
【００６１】
（Ｄ）運動補助着の一形態においては、連動部が前面の右半身の体幹上部に対応する部分から前面の中間部分を横断して前面または背面の左半身の体幹下部に対応する部分までにわたり設けられ、補助連動部が左半身の体幹上部に対応する部分から背面の中間部分を横断して右半身の体幹上部に対応する部分までにわたり設けられる。
【００６２】
この場合、右腕が後方に振られることにともない、連動部により体幹を右回りで回転させようとする力が体幹に作用する。また、左腕が前方に振られることにともない、補助連動部において右半身の体幹上部に対応する部分が左半身の体幹上部に対応する部分に向けて引っ張られる。これにより、補助連動部の動きに連動して右半身の体幹上部が右半身側から左半身側に向けて引っ張られるため、体幹を右回りで回転させようとする力が体幹に作用する。
【００６３】
以上のように、上記発明の運動補助着を着用した場合、腕の動きにともない連動部により体幹を回転させようとする力が作用するとき、補助連動部によっても体幹を同じ方向に回転させようとする力が作用する。このため、腕の動きにともなう体幹の動きをより大きくすることができる。
【００６４】
（１５）請求項１５に記載の発明は、請求項３または４または８〜１３のいずれか一項において請求項１を引用するものを引用項として、請求項１を引用する請求項１４、または引用項を引用する請求項１４に記載される体幹の回旋運動を促すことにより消費カロリーを増加させる運動補助着において、前記第１面において前記他方半身の体幹上部の脇に対応する部分を他方脇部分として、前記補助連動部が前記第１面体幹上部分Ｚ１Ａの下部から前記第２面の中間部分を横断して前記他方脇部分までにわたり設けられていること、および、前記第１面において前記第１面体幹上部分Ｚ１Ａの上部に前記補助連動部の一部としての分離部が設けられること、および、前記第１面体幹上部分Ｚ１Ａに対応する前記連動部の下部に前記補助連動部が接続されること、および、前記第１面体幹上部分Ｚ１Ａに対応する前記連動部の上部に前記分離部が接続されることを要旨としている。
【００６５】
上記発明によれば、補助連動部が第１面体幹上部分Ｚ１Ａを介して分離部に接続されているため、腕が動かされたときに補助連動部を引っ張る力が連動部を介して分離部に伝えられる。これにより、腕の動きにともない分離部と対応する部分の筋肉をさらに動かすことができる。
【００６６】
（１６）請求項１６に記載の発明は、請求項１５に記載される体幹の回旋運動を促すことにより消費カロリーを増加させる運動補助着において、前記補助連動部が前記連動部よりも緊締力の弱い生地により構成されることを要旨としている。
【００６７】
上記発明によれば、補助連動部の生地の緊締力が連動部の生地の緊締力よりも小さいため、補助連動部の生地の緊締力が連動部の生地の緊締力と同じ場合と比較して、着用者が運動補助着を着用したときに着用者に付与される締め付け感を小さくすることができる。
【００６８】
（１７）請求項１７に記載の発明は、請求項１〜１６のいずれか一項に記載される体幹の回旋運動を促すことにより消費カロリーを増加させる運動補助着において、この運動補助着が袖を含むものであること、腕が振られたときに腕に対する前記袖の移動を妨げるずれ抑制部が前記袖に設けられることを要旨としている。
【００６９】
腕の動きにともない袖が腕に対して肩方向にずれたとき、連動部に伝えられる力が小さくなる。上記発明によれば、ずれ抑制部によりこのようなずれの発生が抑制されるため、腕から体幹に伝達される力が低減することを抑制することができる。
【発明の効果】
【００７０】
本発明によれば、腕の動きにより体幹の下部を動かすことのできる運動補助着を提供することができる。
【図面の簡単な説明】
【００７１】
【図１】本発明の一実施形態の運動補助着について、（ａ）はその正面構造を示す正面図、（ｂ）は（ａ）のＡ−Ａ線に沿う断面構造の一部を拡大して示す断面図。
【図２】同実施形態の運動補助着について、その背面構造を示す背面図。
【図３】同実施形態の運動補助着について、（ａ）は図２の部分Ｘを裏面から見た構造を拡大して示す正面図、（ｂ）は（ａ）のＢ−Ｂ線に沿う断面構造を示す断面図、（ｃ）は（ａ）のＣ−Ｃ線に沿う断面構造を示す断面図。
【図４】同実施形態の運動補助着について、（ａ）は運動補助着の腹部に対応する部分を裏面から見た構造を拡大して示す正面図、（ｂ）は（ａ）のＤ−Ｄ線に沿う断面構造を示す断面図、（ｃ）は（ａ）のＥ−Ｅ線に沿う断面構造を示す断面図。
【図５】同実施形態の運動補助着について、その機能を模式的に示す作用図。
【図６】同実施形態の運動補助着について、その機能を模式的に示す作用図。
【図７】本発明のその他の実施形態としての運動補助着について、その正面構造を示す正面図。
【図８】同実施形態の運動補助着について、その背面構造を示す背面図。
【図９】本発明のその他の実施形態としての運動補助着について、（ａ）はその正面構造を示す正面図、（ｂ）はその背面構造を示す背面図。
【発明を実施するための形態】
【００７２】
図１〜図６を参照して、本発明の一実施形態について説明する。
本実施形態では、人体に密着する長袖のシャツ１として本発明の運動補助着を具体化した一例を示している。なお、図１〜図４では、シャツ１を構成する各生地同士の縫い目を実線で示している。また、生地の裏側に縫い付けられた別の生地または同じ生地の縫い目を太破線で示している。
【００７３】
シャツ１の説明にあたり以下のように各用語を定義する。
「第１面」は、着用者の身体の背面を示すものとする。
「第２面」は、着用者の身体の前面を示すものとする。
【００７４】
「前方」は、背面から前面に向かう方向を示すものとする。
「後方」は、前面から背面に向かう方向を示すものとする。
「上方」は、着用者の足から頭に向かう方向を示すものとする。
【００７５】
「下方」は、着用者の頭から足に向かう方向を示すものとする。
「左方」は、着用者の右半身から左半身に向かう方向を示すものとする。
「右方」は、着用者の左半身から右半身に向かう方向を示すものとする。
【００７６】
「体幹断面」は、直立した着用者のみぞおちを通過し、かつ水平面に平行な断面を示すものとする。
「体幹上部」は、体幹のうち体幹断面よりも上方の部分を示すものとする。また、体幹上部には肩甲部と胸と脇とが含まれるものとする。
【００７７】
「体幹下部」は、体幹のうち体幹断面よりも下方の部分を含むものとする。また、体幹下部には脇腹と腹部と腰とが含まれるものとする。
「脇」は、着用者の肘が閉められたときに腕において体幹と接触する肩から肘までの部分と、着用者の肘が閉められたときに体幹において上腕と接触する部分とを含むものとする。
【００７８】
「脇上部」は、脇のうちの上方の部分を示すものとする。
「脇下部」は、脇のうちの下方の部分を示すものとする。
「胸上部」は、胸のうちの上方の部分を示すものとする。
【００７９】
「胸下部」は、胸のうちの下方の部分を示すものとする。
「肩甲上部」は、肩甲部のうちの上方の部分を示すものとする。
「肩甲下部」は、肩甲部のうちの下方の部分を示すものとする。
【００８０】
「腹上部」は、腹のうちの上方の部分を示すものとする。
「腹下部」は、腹のうちの下方の部分を示すものとする。
「脇腹上部」は、脇腹のうちの上方の部分を示すものとする。
【００８１】
「脇腹下部」は、脇腹のうちの下方の部分を示すものとする。
「腰上部」は、腰のうちの上方の部分を示すものとする。
「腰下部」は、腰のうちの下方の部分を示すものとする。
【００８２】
「上腕上部」は、上腕のうちの上方の部分を示すものとする。
「上腕下部」は、上腕のうちの下方の部分を示すものとする。
図１および図２を参照して、シャツ１の構成について説明する。
【００８３】
図１および図２に示されるように、シャツ１には、前身頃１１と後身頃１２と左袖１３と右袖１４とが設けられている。前身頃１１は、上半身の前面を覆う部分として設けられている。後身頃１２は、上半身の背面を覆う部分として設けられている。左袖１３は、左腕を左肩から左手首までにわたり覆う部分として設けられている。右袖１４は、右腕を右肩から右手首までにわたり覆う部分として設けられている。
【００８４】
左袖１３は、前身頃１１および後身頃１２の左肩口に対応する部分に縫い付けられている。右袖１４は、前身頃１１および後身頃１２の右肩口に対応する部分に縫い付けられている。
【００８５】
シャツ１には、基礎部２０と第１連動部３０と第２連動部４０と補助連動部５０とが設けられている。基礎部２０は、着用者の各部分を覆う一般的な部分として設けられている。第１連動部３０は、左腕の動きにより体幹を動かすための部分として設けられている。第２連動部４０は、右腕の動きにより体幹を動かすための部分として設けられている。補助連動部５０は、右腕または左腕の動きにより体幹を動かすための部分として設けられている。なお、第１連動部３０は連動部Ａおよび連動部Ｂの一方に対応し、第２連動部４０は連動部Ａおよび連動部Ｂの他方に対応する。
【００８６】
シャツ１は、緊締力の強さが互いに異なる３種類により構成されている。すなわち、緊締力が最も強い強緊締力生地、緊締力が最も弱い弱緊締力生地、および緊締力が強緊締力生地と弱緊締力生地との間の大きさとなる中緊締力生地により構成されている。弱緊締力生地としては、一般の下着に用いられる生地と同程度の伸縮性を有するものが用いられている。
【００８７】
シャツ１の各部分はそれぞれ以下の生地により構成されている。
・基礎部２０は、弱緊締力生地により構成されている。
・第１連動部３０は、強緊締力生地により構成されている。
・第２連動部４０は、強緊締力生地により構成されている。
・補助連動部５０は、中緊締力生地により構成されている。
・前面接続部７０は、中緊締力生地により構成されている。
【００８８】
第１連動部３０の強緊締力生地および第２連動部４０の強緊締力生地としては、展開された状態において長手方向の伸縮性よりも短手方向の伸縮性が小さいものが用いられている。
【００８９】
図１を参照して、前身頃１１の詳細について説明する。
前身頃１１には、基礎部２０としての前面上基礎部２１および前面側右下基礎部２６Ａおよび前面側左下基礎部２５Ａと、第１連動部３０としての第１胴部３２と、第２連動部４０としての第２胴部４２と、補助連動部５０としての中間部５１および右脇部５５および後右中間部５６および左脇部５２および後左中間部５３と、前面接続部７０とが設けられている。
【００９０】
前面上基礎部２１は、胸および肩に対応する部分として設けられている。
前面接続部７０は、腹に対応する部分として設けられている。
前面側左下基礎部２５Ａは、左脇腹下部に対応する部分として設けられている。
【００９１】
前面側右下基礎部２６Ａは、右脇腹下部に対応する部分として設けられている。
中間部５１は、胸下部および腹上部に対応する部分として設けられている。
左脇部５２は、左脇下部に対応する部分として設けられている。
【００９２】
右脇部５５は、右脇下部に対応する部分として設けられている。
前身頃１１においては、右脇腹に対応する部分に第１胴部３２の一部が設けられている。また、右脇上部に対応する部分に第２胴部４２の一部が設けられている。また、左脇上部に対応する部分に第１胴部３２の一部が設けられている。また、左脇腹に対応する部分に第２胴部４２の一部が設けられている。
【００９３】
図２を参照して、後身頃１２の詳細について説明する。
後身頃１２には、基礎部２０としての背面上基礎部２３および背面下基礎部２４および背面側右下基礎部２６Ｂおよび背面側左下基礎部２５Ｂと、第１連動部３０としての第１胴部３２と、第２連動部４０としての第２胴部４２と、補助連動部５０としての右脇部５５および左脇部５２および右分離部５７および左分離部５４とが設けられている。
【００９４】
背面上基礎部２３は、背中および肩に対応する部分として設けられている。
背面下基礎部２４は、腰に対応する部分として設けられている。
背面側左下基礎部２５Ｂは、左腰に対応する部分として設けられている。
【００９５】
背面側右下基礎部２６Ｂは、右腰に対応する部分として設けられている。
左脇部５２は、左脇下部に対応する部分として設けられている。
右脇部５５は、右脇下部に対応する部分として設けられている。
【００９６】
後左中間部５３は、左肩甲部下部に対応する部分として設けられている。
後右中間部５６は、右肩甲部下部に対応する部分として設けられている。
左分離部５４は、左肩甲部に対応する部分として設けられている。
【００９７】
右分離部５７は、右肩甲部に対応する部分として設けられている。
後身頃１２においては、左脇上部に対応する部分から右腰上部に対応する部分までにわたり第１胴部３２の一部が設けられている。また、右脇上部に対応する部分から左腰上部に対応する部分までにわたり第２胴部４２の一部が設けられている。
【００９８】
左下基礎部２５は、前面側左下基礎部２５Ａおよび背面側左下基礎部２５Ｂにより構成されている。前面側左下基礎部２５Ａおよび背面側左下基礎部２５Ｂは、前面側から背面側にわたり連続して形成されている。
【００９９】
右下基礎部２６は、前面側右下基礎部２６Ａおよび背面側右下基礎部２６Ｂにより構成されている。前面側右下基礎部２６Ａおよび背面側右下基礎部２６Ｂは、前面側から背面側にわたり連続して形成されている。
【０１００】
図１（ａ）に示されるように、腰に対応する部分には前身頃１１および後身頃１２の一部として裾１５が形成されている。この裾１５の内側には、弱緊締力生地および中緊締力生地および強緊締力生地よりも摩擦の大きな生地により構成される裾ずれ抑制部１５Ｍが縫い付けられている。
【０１０１】
図１（ｂ）に示されるように、左袖１３の袖口１３Ａの内側には、弱緊締力生地および中緊締力生地および強緊締力生地よりも摩擦の大きい生地から構成される袖ずれ抑制部１３Ｍが縫い付けられている。なお、図示しないが、右袖１４の袖口１４Ａの内側についても同様に、袖ずれ抑制部１３Ｍが設けられている。
【０１０２】
図１および図２を参照して、左袖１３の詳細について説明する。
図１に示されるように、左袖１３には、基礎部２０としての左袖基礎部２７と、第１連動部３０としての左腕部３１とが設けられている。左袖基礎部２７は、左肩および左上腕および左下腕に対応する部分として設けられている。
【０１０３】
図２に示されるように、左腕部３１は、左脇および左上腕下部および左肘および左下腕および左手首に対応する部分として設けられている。また、背面においては左脇に対応する部分から左肘に対応する部分を経由して前面において左手首までにわたり設けられている。
【０１０４】
図１および図２を参照して、右袖１４の詳細について説明する。
図１に示されるように、右袖１４には、基礎部２０としての右袖基礎部２８と、第２連動部４０としての右腕部４１とが設けられている。右袖基礎部２８は、右肩および右上腕および右下腕に対応する部分として設けられている。
【０１０５】
図２に示されるように、右腕部４１は、右脇および右上腕下部および右肘および右下腕および右手首に対応する部分として設けられている。また、背面においては右脇に対応する部分から右肘に対応する部分を経由して前面において右手首までにわたり設けられている。
【０１０６】
図１および図２を参照して、連動部３０，４０および補助連動部５０の各部位の詳細について説明する。
第１連動部３０は、左袖１３に設けられる左腕部３１と、前身頃１１および後身頃１２にわたり設けられる第１胴部３２と、腹部に設けられる第１下腹部３４により構成されている。左腕部３１と第１胴部３２とは、左肩の付け根および左脇に対応する部分において互いに縫い合わせられている。
【０１０７】
左腕部３１は、左肘をまたいで左腕の下腕および上腕にわたり設けられている。
第１胴部３２は、背面の左脇、背面の中間部分、背面の右腰、前面の右脇腹および腹下部の順に前身頃１１および後身頃１２の各部位を通過して設けられている。
【０１０８】
第１下腹部３４は、腹部の中間部分に設けられている。第１下腹部３４と第１胴部３２とは、右脇腹に対応する部分において互いに縫い合わせられている。また、第１下腹部３４と第２胴部４２とは、左脇腹に対応する部分において互いに縫い合わせられている。
【０１０９】
このように、第１連動部３０は、左手首から左肘および左脇および後身頃１２の中間部分を横断して前身頃１１の左脇腹までにわたり連続して設けられている。また、後身頃１２の中間部分においては、左半身の上部から右半身の下部に向けて斜めに後身頃１２を横断して設けられている。
【０１１０】
第２連動部４０は、右袖１４に設けられる右腕部４１と、前身頃１１および後身頃１２にわたり設けられる第２胴部４２と、腹部に設けられる第２下腹部４４により構成されている。右腕部４１と第２胴部４２とは、右肩の付け根および右脇に対応する部分において互いに縫い合わせられている。
【０１１１】
右腕部４１は、右肘をまたいで右腕の下腕および上腕にわたり設けられている。
第２胴部４２は、背面の右脇、背面の中間部分、背面の左腰、前面の左脇腹および腹下部の順に前身頃１１および後身頃１２の各部位を通過して設けられている。
【０１１２】
第２下腹部４４は、腹部の中間部分に設けられている。第２下腹部４４と第２胴部４２とは、左脇腹に対応する部分において互いに縫い合わせられている。また、第２下腹部４４と第１胴部３２とは、右脇腹に対応する部分において互いに縫い合わせられている。
【０１１３】
このように、第２連動部４０は、右手首から右肘および右脇および後身頃１２の中間部分を横断して前身頃１１の右脇腹までにわたり連続して設けられている。また、後身頃１２の中間部分においては、右半身の上部から左半身の下部に向けて斜めに後身頃１２を横断して設けられている。
【０１１４】
補助連動部５０は、中間部５１と、左脇部５２と、後左中間部５３と、左分離部５４と、右脇部５５と、後右中間部５６と、右分離部５７とにより構成されている。
左脇部５２は、前身頃１１および後身頃１２の左脇および左脇付近と対応する部分に設けられている。
【０１１５】
右脇部５５は、前身頃１１および後身頃１２の右脇および右脇付近と対応する部分に設けられている。
中間部５１は、前身頃１１において左脇部５２と右脇部５５との間に設けられている。
【０１１６】
後左中間部５３は、左脇部５２と第１胴部３２および第２胴部４２が交差する部分との間に設けられている。
後右中間部５６は、右脇部５５と第１胴部３２および第２胴部４２が交差する部分との間に設けられている。
【０１１７】
左分離部５４は、左肩甲部に設けられるとともに左脇部５２および中間部５１および後左中間部５３のいずれとも直接縫い合わせられない。右分離部５７は、右肩甲部に設けられるとともに右脇部５５および中間部５１および後右中間部５６のいずれとも直接縫い合わせられない。
【０１１８】
左脇部５２と中間部５１とは、左胸に対応する部分において互いに縫い合わせられている。右脇部５５と中間部５１とは、右胸に対応する部分において互いに縫い合わせられている。左脇部５２と後左中間部５３とは、左肩甲部下部に対応する部分において互いに縫い合わせられている。右脇部５５と後右中間部５６とは、右肩甲部下部に対応する部分において互いに縫い合わせられている。
【０１１９】
左脇部５２は、前面の左脇の全体および背面の左脇の一部にわたり設けられている。右脇部５５は、前面の右脇の全体および背面の右脇の一部にわたり設けられている。中間部５１は、前面の胸部の下部の全体にわたり設けられている。
【０１２０】
このように、補助連動部５０は、後身頃１２の左肩甲部から後身頃１２の左脇および前身頃１１の右脇を経由し、前身頃１１の中間部分を横断して、前身頃１１の右脇および後身頃１２の右脇を経由して右肩甲部までにわたり連続して設けられている。また、前身頃１１の中間部分においては、左右方向の中心が下方に突き出る形状となるように設けられている。
【０１２１】
図２を参照して、左分離部５４および右分離部５７の詳細について説明する。
左分離部５４は、第１連動部３０に縫い合わせられている。左脇部５２は、第１連動部３０および第２連動部４０のそれぞれに縫い合わせられている。これにより、左脇部５２と左分離部５４とが第１連動部３０を介して間接的に接続されている。すなわち、左脇部５２を引っ張る力が左脇部５２に加えられたとき、この力が第１連動部３０を介して左分離部５４に伝えられる。
【０１２２】
右分離部５７は、第２連動部４０に縫い合わせられている。右脇部５５は、第１連動部３０および第２連動部４０のそれぞれに縫い合わせられている。これにより、右脇部５５と右分離部５７とが第２連動部４０を介して間接的に接続されている。すなわち、右脇部５５を引っ張る力が右脇部５５に加えられたとき、この力が第２連動部４０を介して右分離部５７に伝えられる。
【０１２３】
図３を参照して、後身頃１２において第１連動部３０と第２連動部４０とが重なり合う部分の構造について説明する。なお、図３（ｂ）および図３（ｃ）の太い実線は、生地同士が互いに縫い合わせられていることを示している。
【０１２４】
図３（ａ）に示されるように、第２連動部４０の第２重なり部４３は第１連動部３０の第１重なり部３３の表面に重ねられている。第２重なり部４３の表面には、接続部６０が設けられている。
【０１２５】
接続部６０は、第１胴部３２の生地と連続する第１連動部３０の一部としての第１接続部６１と、第２胴部４２の生地と連続する第２連動部４０の一部としての第２接続部６２とを備えている。第１接続部６１と第２接続部６２とは互いに縫い合わせられている。接続部６０の上縁は、背面上基礎部２３に縫い付けられている。接続部６０の下縁は、背面下基礎部２４に縫い付けられている。
【０１２６】
図３（ｂ）に示されるように、第２連動部４０の第２重なり部４３は、第１連動部３０には縫い付けられていない。すなわち、第１重なり部３３と第２重なり部４３とは互いに独立している。図３（ｃ）に示されるように、第１接続部６１と第１重なり部３３とは第１重なり部３３の左上および右下の端部の２ヶ所において互いに縫い付けられている。
【０１２７】
図３（ｃ）に示されるように、第１連動部３０の第１重なり部３３は、第２連動部４０には縫い付けられていない。すなわち、第２重なり部４３と第１重なり部３３とは互いに独立している。図３（ｂ）に示されるように、第２接続部６２と第２重なり部４３とは第２重なり部４３の右上および左下の端部の２ヶ所において互いに縫い付けられている。
【０１２８】
このように、シャツ１において第１重なり部３３および第２重なり部４３が重なる部分には、第１重なり部３３および第２重なり部４３および第１接続部６１および第２接続部６２の４枚の生地が重ね合わせられた４重構造が採用されている。
【０１２９】
図４を参照して、前身頃１１において第１連動部３０と第２連動部４０とが重なり合う部分の構造について説明する。なお、図４（ｂ）および図４（ｃ）の太い実線は、生地同士が互いに縫い合わせられていることを示している。
【０１３０】
図４（ａ）に示されるように、第１下腹部３４は第２下腹部４４の表面に重ねられている。第２下腹部４４の表面には、前面接続部７０が設けられている。
図４（ｂ）に示されるように、前面接続部７０の上縁は、中間部５１に縫い付けられている。前面接続部７０の下縁は、第１下腹部３４および第２下腹部４４および裾ずれ抑制部１５Ｍにそれぞれ縫い付けられている。
【０１３１】
第１下腹部３４の上縁は、第２下腹部４４および前面接続部７０のいずれにも縫い付けられていない。また、第２下腹部４４の上縁は、第１下腹部３４および前面接続部７０のいずれにも縫い付けられていない。
【０１３２】
図４（ｃ）に示されるように、前面接続部７０の右縁および第１下腹部３４の右縁および第２下腹部４４の右縁は、第１胴部３２に縫い付けられている。前面接続部７０の左縁および第１下腹部３４の左縁および第２下腹部４４の左縁は、第２胴部４２に縫い付けられている。
【０１３３】
このように、シャツ１において着用者の腹部と対応する部分には、第１下腹部３４および第２下腹部４４および前面接続部７０の３枚の生地が重ね合わせられた３重構造が採用されている。
【０１３４】
図５を参照して、第１連動部３０の機能について説明する。
着用者の左腕が前方に振られたとき、第１連動部３０と対応する着用者の体表面が伸びるため、第１連動部３０に張力が働く。このため、図中の矢印ＰＦで示されるように第１連動部３０において、右脇腹に対応する部分が左腕および左脇に向けて引っ張られる。これにより、第１連動部３０の動きに連動して右脇腹が左脇腹側に向けて引っ張られる。また、前面において第１下腹部３４により左脇腹に対応する部分が右脇腹に向けて引っ張られる。このため、図中の矢印Ｒ１で示されるように、体幹を右回りで回転させようとする力が体幹に作用する。また、これにつられて右腕が後方に振られるため、矢印ＡＲで示されるように右腕の後方への振りが大きくなる。
【０１３５】
第２連動部４０の機能について説明する。なお、腕の動きにともない第２連動部４０に作用する力、および第２連動部４０から着用者に付与される力は、図５の第１連動部３０および着用者についての力と左右対称の関係にあるため、ここでは第２連動部４０の図示を省略する。
【０１３６】
着用者の右腕が前方に振られたとき、第２連動部４０と対応する着用者の体表面が伸びるため、第２連動部４０に張力が働く。このため、第２連動部４０において、左脇腹に対応する部分が右腕および右脇に向けて引っ張られる。これにより、第２連動部４０の動きに連動して左脇腹が右脇腹側に向けて引っ張られる。また、第２下腹部４４により前面において左脇腹に対応する部分が右脇腹に向けて引っ張られる。このため、体幹を左回り、すなわち図中の矢印Ｒ１で示される方向とは反対方向に回転させようとする力が体幹に作用する。また、これにつられて左腕が後方に振られるため、左腕の後方への振りが大きくなる。
【０１３７】
図６を参照して、補助連動部５０の機能について説明する。なお、左腕の動きにともない補助連動部５０に作用する力、および補助連動部５０から着用者に付与される力は、図６の右腕の動きにともない生じる力と左右対称の関係にあるため、ここでは左腕の動きにともない生じる力の図示を省略する。
【０１３８】
着用者の右腕が後方に振られたとき、補助連動部５０に対応する着用者の体表面が伸びるため、補助連動部５０に張力が働く。すなわち、図中の矢印ＰＲに示されるように左脇部５２が右脇部５５に向けて引っ張られる。ここのため、図中の矢印Ｒ２で示されるように、体幹を右回りで回転させようとする力が体幹に作用する。また、これにつられて左腕が前方に振られるため、図中の矢印ＡＬで示されるように、左腕の前方への振りが大きくなる。
【０１３９】
着用者の左腕が後方に振られたとき、補助連動部５０に対応する着用者の体表面が伸びるため、補助連動部５０に張力が働く。すなわち、右脇部５５が左脇部５２に向けて引っ張られる。このため、体幹を左回り、すなわち図中の矢印Ｒ２で示される方向とは反対方向に回転させようとする力が体幹に作用する。また、これにつられて左腕が前方に振られるため、右腕の前方への振りが大きくなる。
【０１４０】
本実施形態によれば、以下に示す効果が得られる。
（１）シャツ１には、腕の動きにともない体幹に力を付与する第１連動部３０および第２連動部４０が設けられる。
【０１４１】
第１連動部３０は、後身頃１２の左脇上部に対応する部分から後身頃１２の中間部分を横断して、前身頃１１の右脇腹に対応する部分までにわたり設けられる。このため、シャツ１を着用した着用者の腕が肩関節まわりで動かされたとき、以下のように体幹に力が作用する。
【０１４２】
左腕が前方に振られることにともない、第１連動部３０において右脇腹に対応する部分が左脇上部に対応する部分に向けて引っ張られる。これにより、第１連動部３０の動きに連動して右脇腹が左脇腹側に向けて引っ張られるため、体幹を右回りで回転させようとする力が体幹に作用する。
【０１４３】
第２連動部４０は、後身頃１２において右脇上部に対応する部分から後身頃１２の中間部分を横断して、前身頃１１において左脇腹に対応する部分までにわたり設けられる。
このため、シャツ１を着用した着用者の腕が肩関節まわりで動かされたとき、以下のように体幹に力が作用する。
【０１４４】
右腕が前方に振られることにともない、第２連動部４０において左脇腹に対応する部分が右脇上部に対応する部分に向けて引っ張られる。これにより、第２連動部４０の動きに連動して左脇腹が右脇腹側に向けて引っ張られるため、体幹を左回りで回転させようとする力が体幹に作用する。
【０１４５】
以上のようにシャツ１を着用した場合、腕の動きにより体幹を右回りまたは左回りで回転させようとする力が体幹に作用するため、腕を動かす動作にともない腹周りの筋肉も動かされる。また、連動部３０，４０において左脇および右脇上部と連動部３０，４０において右脇腹および左脇腹に対応する部分とがそれぞれ着用者の前面または背面と対応する後身頃１２および前身頃１１に設けられるため、連動部３０，４０の各部分がともに前面または背面に設けられる場合と比較して、腕の動きにともなう体幹の動きがより大きくなる。
【０１４６】
（２）シャツ１には、第１重なり部３３と第２重なり部４３とが互いに独立してそれぞれの重なり部３３，４３に対応する腕の動きを体幹に伝えることができるように第１連動部３０および第２連動部４０が構成される。このため、各重なり部３３，４３が独立して腕の動きを体幹に伝えることができない構成と比較して、腕から体幹により大きな力を伝えることができる。
【０１４７】
（３）第１連動部および第２連動部が互いに独立している運動補助着によれば、第１連動部および第２連動部に捩れが生じることがある。シャツ１には、第１連動部３０と第２連動部４０とを互いに接続する接続部６０が設けられている。また、接続部６０が第１重なり部３３および第２重なり部４３が互いに重なり合う部分に設けられる。また、第１重なり部３３および第２重なり部４３が互いに重なり合う部分において第１重なり部３３および第２重なり部４３に接触して接続部６０が設けられる。これにより、着用者に近い側の重なり部３３よりも着用者に近い側に接続部６０を設けているため、第１連動部３０および第２連動部４０が捩れることを抑制することができる。
【０１４８】
また、第１接続部６１が、第１胴部３２と連続して強緊締力生地により構成されているため、第１接続部６１よりも左上の第１胴部３２からの力を、第１接続部６１を介して第１接続部６１よりも右下の第１胴部３２に伝えることができる。また、第２接続部６２が、第２胴部４２と連続して強緊締力生地により構成されるため、第２接続部６２よりも右上の第２胴部４２からの力を、第２接続部６２を介して第２接続部６２よりも左下の第２胴部４２に伝えることができる。
【０１４９】
（４）第１連動部３０は、左腕に対応する左腕部３１から後身頃１２の左脇に対応する部分を経由して前身頃１１の右脇腹に対応する部分までにわたり設けられる。第２連動部４０は、右腕に対応する右腕部４１から後身頃１２の右脇に対応する部分を経由して前身頃１１の左脇腹に対応する部分までにわたり設けられる。腕に対応する部分としての左腕部３１および右腕部４１が連動部３０，４０に含まれるため、腕の動きにともない連動部３０，４０が腕から受ける力が大きくなる。これにより、連動部３０，４０を介して体幹に伝えられる力をより大きくすることができる。
【０１５０】
（５）シャツ１には、連動部３０において腕に対応する左腕部３１および右腕部４１には肘に対応する部分が設けられる。これにより、肩関節まわりの動きに加えて肘が曲げられる動きによっても連動部３０，４０に力が付与される。このため、肘が曲げられたときにも連動部３０，４０により右脇または左脇を引っ張ることができる。
【０１５１】
（６）シャツ１の左袖１３および右袖１４は長袖として構成される。そして、第１連動部３０は、左手首に対応する部分から後身頃１２の左脇上部に対応する部分を経由して前身頃１１の右脇腹に対応する部分までにわたり設けられる。第２連動部４０は、右手首に対応する部分から後身頃１２の右脇上部に対応する部分を経由して前身頃１１の左脇腹に対応する部分までにわたり設けられる。すなわち、長袖の手首に対応する部分が連動部３０，４０の左腕部３１および右腕部４１に含まれるため、腕の動きにともない連動部が腕から受ける力が大きくなる。これにより連動部３０，４０を介して体幹に伝えられる力をより大きくすることができる。
【０１５２】
（７）シャツ１においては、第１下腹部３４により第１連動部３０が体幹下部において前身頃１１の中間部分を横断して右脇腹と対応する部分までにわたり延長されている。また、第２下腹部４４により第２連動部４０が体幹下部において前身頃１１の中間部分を横断して左脇腹と対応する部分までにわたり延長されている。これにより、腕の動きにともなう体幹の動きをより大きくすることができる。
【０１５３】
（８）シャツ１には、連動部３０，４０とは別に腕の動きにより体幹を動かす補助連動部５０が設けられる。補助連動部５０は、後身頃１２の左脇下部に対応する左脇部５２から前身頃１１の中間部分を横断して後身頃１２の右脇下部に対応する右脇部５５までにわたり設けられる。
【０１５４】
左腕が前方に振られることにともない、連動部３０により体幹を右回りで回転させようとする力が体幹に作用する。また、右腕が後方に振られることにともない、補助連動部５０において左脇上部に対応する部分が右脇上部に対応する部分に向けて引っ張られる。これにより、補助連動部５０の動きに連動して左脇上部が左半身側から右半身側に向けて引っ張られるため、体幹を右回りで回転させようとする力が体幹に作用する。
【０１５５】
右腕が前方に振られることにともない、連動部４０により体幹を左回りで回転させようとする力が体幹に作用する。また、左腕が後方に振られることにともない、補助連動部５０において右脇上部に対応する部分が左脇上部に対応する部分に向けて引っ張られる。これにより、補助連動部５０の動きに連動して右脇上部が右半身側から左半身側に向けて引っ張られるため、体幹を左回りで回転させようとする力が体幹に作用する。
【０１５６】
以上のように、腕の動きにともない連動部３０，４０により体幹を回転させようとする力が作用するとき、補助連動部５０によっても体幹を同じ方向に回転させようとする力が作用する。このため、腕の動きにともなう体幹の動きをより大きくすることができる。
【０１５７】
（９）後身頃１２において第１連動部３０の左脇と対応する部分を挟んで左脇部５２と対向する位置に補助連動部５０の一部としての左分離部５４が設けられている。また、後身頃１２において第２連動部４０の右脇と対応する部分を挟んで右脇部５５と対向する位置に補助連動部５０の一部としての右分離部５７が設けられている。そして、左脇部５２および左分離部５４がそれぞれ第１連動部３０に縫い付けられている。そして、右脇部５５および右分離部５７がそれぞれ第２連動部４０に縫い付けられている。これにより、補助連動部５０の左脇部５２および右脇部５５が連動部３０，４０を介して分離部５４，５７に接続されているため、腕が動かされたときに補助連動部５０を引っ張る力が連動部３０，４０を介して分離部５４，５７に伝えられる。これにより、腕の動きにともない分離部５４，５７と対応する部分の筋肉、すなわち広背筋をさらに動かすことができる。
【０１５８】
（１０）補助連動部５０は、連動部３０，４０よりも緊締力の弱い中緊締力生地により構成される。このため、補助連動部５０の生地の緊締力が連動部３０，４０の生地の緊締力と同じ場合と比較して、着用者が運動補助着を着用したときに着用者に付与される締め付け感を小さくすることができる。
【０１５９】
（１１）腕の動きにともない袖口１３Ａ，１４Ａが腕に対して肩方向にずれたとき、連動部３０，４０に伝えられる力が小さくなる。シャツ１においては、袖ずれ抑制部１３Ｍによりこのようなずれの発生が抑制されるため、腕から体幹に伝達される力が低減することを抑制することができる。
【０１６０】
また、体幹の動きにともない裾１５が体幹に対して左右方向または上下方向にずれたとき、連動部３０，４０を介して体幹に伝えられる力が小さくなる。シャツ１においては、裾ずれ抑制部１５Ｍによりこのようなずれの発生が抑制されるため、腕から体幹に伝達される力が低減することを抑制することができる。
【０１６１】
（１２）シャツ１を着用したとき、連動部３０，４０および補助連動部５０により歩行の際に腕の振りおよび体幹の捻りが大きくなるため、腕の振りや体幹の捻りに際して働く腹斜筋や広背筋等がよく刺激される。このため、代謝活動が活発になり消費カロリーが増大する。また、腹回りが動かされるため、腹回りのシェイプアップも行うことができる。また、腕の振り幅が大きくなることにより、歩幅が大きくなることも見込まれるため、運動量および消費カロリーがより増加することが期待される。
【０１６２】
（１３）身体の前面は凹凸に富むため、連動部３０，４０が前身頃１１の中間部分を横断すると着用者の身体の凹凸により腕から脇腹に伝えられる力が低減するおそれがある。これに対して、第１連動部３０および第２連動部４０は後身頃１２の中間部分を横断している。このため、第１連動部３０および第２連動部４０が前身頃１１の中間部分を横断する場合と比較して、第１連動部３０および第２連動部４０により腕から脇腹に伝える力が低減することを抑制することができる。
【０１６３】
（１４）右袖１４および左袖１３が基礎部２０と連動部３０，４０とにより構成されている。これにより、袖１３，１４の全体を連動部３０，４０とする場合と比較して、着用者が運動補助着を着用したときに着用者に付与される締め付け感を小さくすることができる。
【０１６４】
（１５）後身頃１２において、左分離部５４および背面上基礎部２３の縫い目、第１胴部３２および第１接続部６１の縫い目、左脇部５２および後左中間部５３の縫い目、第２胴部４２および第２接続部６２の縫い目、および左下基礎部２５および背面下基礎部２４の縫い目が連続している。このため、これらの縫い目が連続していないときと比較して簡単に縫製することができる。
【０１６５】
同様に、後身頃１２において、右分離部５７および背面上基礎部２３の縫い目、第２胴部４２および第２接続部６２の縫い目、右脇部５５および後右中間部５６の縫い目、第１胴部３２および第１接続部６１の縫い目、および右下基礎部２６および背面下基礎部２４の縫い目が連続している。このため、これらの縫い目が連続していないときと比較して簡単に縫製することができる。
【０１６６】
（その他の実施形態）
なお、本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【０１６７】
・上記実施形態では、第１下腹部３４および第２下腹部４４を設けたが、図７および図８に示されるように、第１下腹部３４および第２下腹部４４を省略することもできる。この場合、後身頃１２の左脇と対応する部分を経由して前身頃１１の右脇腹と対応する部分までにわたり第１連動部が設けられる。また、後身頃１２の右脇と対応する部分を経由して前身頃１１の左脇腹と対応する部分までにわたり第２連動部４０が設けられる。
【０１６８】
・上記実施形態では、後身頃１２の左脇と対応する部分を経由して前身頃１１の右脇腹と対応する部分までにわたり第１連動部３０を設けたが、これに代えてまたは加えて、以下の（Ｘ１）〜（Ｘ５）の連動部を設けることもできる。
（Ｘ１）後身頃１２の左脇に対応する部分から、前身頃１１の中間部分を横断して前身頃１１の右脇腹に対応する部分までにわたり胴部を有する連動部を設けることもできる。また、この形態においては、右脇腹に対応する部分から右腰に対応する部分まで、または右腰に対応する部分を経由するとともに後身頃１２を横断して左腰に対応する部分までにわたり下腹部を設けることもできる。
（Ｘ２）前身頃１１の左脇に対応する部分から、前身頃１１の中間部分を横断して後身頃１２の右腰に対応する部分までにわたり胴部を有する連動部を設けることもできる。また、この形態においては、右腰に対応する部分から後身頃１２を横断して左腰に対応する部分までにわたり下腹部を設けることもできる。
（Ｘ３）前身頃１１の左脇に対応する部分から、後身頃１２の中間部分を横断して後身頃１２の右腰に対応する部分までにわたり胴部を有する連動部を設けることもできる。また、この形態においては、右腰に対応する部分から右脇腹に対応する部分まで、または右脇腹に対応する部分を経由するとともに前身頃１１を横断して左脇腹に対応する部分までにわたり下腹部を設けることもできる。
（Ｘ４）後身頃１２の左脇に対応する部分から、後身頃１２の中間部分を横断して後身頃１２の右腰に対応する部分までにわたり胴部を有する連動部を設けることもできる。
（Ｘ５）前身頃１１の左脇に対応する部分から、前身頃１１の中間部分を横断して前身頃１１の右脇腹に対応する部分までにわたり胴部を有する連動部を設けることもできる。
【０１６９】
・上記実施形態および上記（Ｘ１）〜（Ｘ３）の形態においては、接続部６０を省略することもできる。
・上記（Ｘ１）および（Ｘ２）および（Ｘ５）の形態においては、補助連動部５０の中間部５１に代えてまたは加えて、後身頃１２において左脇部５２と右脇部５５とを接続する第２の中間部を設けることもできる。この第２の中間部は、左脇部５２および右脇部５５に縫い付けられる。また、左分離部５４に代えて、前身頃１１において左脇上部に対応する部分に左前分離部を設けることもできる。
【０１７０】
・上記実施形態では、後身頃１２の右脇と対応する部分を経由して前身頃１１の左脇腹と対応する部分までにわたり第２連動部４０を設けたが、これに代えてまたは加えて、以下の（Ｙ１）〜（Ｙ５）の連動部を設けることもできる。
（Ｙ１）後身頃１２の右脇に対応する部分から、前身頃１１の中間部分を横断して前身頃１１の左脇腹に対応する部分までにわたり胴部を有する連動部を設けることもできる。また、この形態においては、左脇腹に対応する部分から左腰に対応する部分まで、または左腰に対応する部分を経由するとともに後身頃１２を横断して右腰に対応する部分までにわたり下腹部を設けることもできる。
（Ｙ２）前身頃１１の右脇に対応する部分から、前身頃１１の中間部分を横断して後身頃１２の左腰に対応する部分までにわたり胴部を有する連動部を設けることもできる。また、この形態においては、左腰に対応する部分から後身頃１２を横断して右腰に対応する部分までにわたり下腹部を設けることもできる。
（Ｙ３）前身頃１１の右脇に対応する部分から、後身頃１２の中間部分を横断して後身頃１２の左腰に対応する部分までにわたり胴部を有する連動部を設けることもできる。また、この形態においては、左腰に対応する部分から左脇腹に対応する部分まで、または左脇腹に対応する部分を経由するとともに前身頃１１を横断して右脇腹に対応する部分までにわたり下腹部を設けることもできる。
（Ｙ４）後身頃１２の右脇に対応する部分から、後身頃１２の中間部分を横断して後身頃１２の左腰に対応する部分までにわたり胴部を有する連動部を設けることもできる。
（Ｙ５）前身頃１１の右脇に対応する部分から、前身頃１１の中間部分を横断して前身頃１１の左脇腹に対応する部分までにわたり胴部を有する連動部を設けることもできる。
【０１７１】
・上記実施形態および上記（Ｙ１）〜（Ｙ３）の形態においては、接続部６０を省略することもできる。
・上記（Ｙ１）および（Ｙ２）および（Ｙ５）の形態においては、補助連動部５０の中間部５１に代えてまたは加えて、後身頃１２において右脇部５５と左脇部５２とを接続する第２の中間部を設けることもできる。この第２の中間部は、右脇部５５および左脇部５２に縫い付けられる。また、右分離部５７に代えて、前身頃１１において右脇上部に対応する部分に右前分離部を設けることもできる。
【０１７２】
・上記実施形態では、第１連動部３０を介して左脇部５２と左分離部５４とを互いに接続したが、左脇部５２を延長して左脇部５２を左分離部５４に縫い付けることもできる。この場合、左脇部５２および左分離部５４を一枚の生地により構成することもできる。また、左脇部５２と左分離部５４との間に別の生地を設けて、この生地を左脇部５２および左分離部５４のそれぞれに縫い付けることもできる。
【０１７３】
・上記実施形態では、第２連動部４０を介して右脇部５５と右分離部５７とを互いに接続したが、右脇部５５を延長して右脇部５５を右分離部５７に縫い付けることもできる。この場合、右脇部５５および右分離部５７を一枚の生地により構成することもできる。また、右脇部５５と右分離部５７との間に別の生地を設けて、この生地を右脇部５５および右分離部５７のそれぞれに縫い付けることもできる。
【０１７４】
・上記実施形態では、左腕部３１から後身頃１２の左脇を経由して後身頃１２の中間部分を横断して前身頃１１の右脇腹までにわたり第１連動部３０を設けたが、第１連動部３０の構成を次のように変更することもできる。すなわち、左腕部３１から後身頃１２の左肩を経由して後身頃１２の中間部分を横断して前身頃１１の右脇腹までにわたり第１連動部３０を設けることもできる。
【０１７５】
・上記実施形態では、右腕部４１から後身頃１２の右脇を経由して後身頃１２の中間部分を横断して前身頃１１の左脇腹までにわたり第２連動部４０を設けたが、第２連動部４０の構成を次のように変更することもできる。すなわち、右腕部４１から後身頃１２の右肩を経由して後身頃１２の中間部分を横断して前身頃１１の左脇腹までにわたり第２連動部４０を設けることもできる。
【０１７６】
・上記実施形態の右袖１４および左袖１３の構成を以下のように変更することもできる。すなわち、図７および図８に示されるように、右袖１４においては、腕に螺旋状に巻きつくように右腕部１４１を構成し、これに対応する螺旋状の右袖基礎部２８に右腕部１４１を縫い付ける。同様に、左袖１３においては、腕に螺旋状に巻きつかせるように左腕部１３１を構成し、これに対応する螺旋状の左袖基礎部２７に左腕部１３１を縫い付ける。
【０１７７】
・上記実施形態では、左袖１３の下腕の前面に対応する部分を左袖基礎部２７により構成したが、左袖１３の下腕下部と対応する部分を左腕部３１により構成することもできる。また、左袖１３の全体を左腕部３１により構成することもできる。
【０１７８】
・上記実施形態では、右袖１４の下腕の前面に対応する部分を右袖基礎部２８により構成したが、右袖１４の下腕下部と対応する部分を右腕部４１により構成することもできる。また、右袖の全体を右腕部４１により構成することもできる。
【０１７９】
・上記実施形態では、シャツ１を長袖のものとしたが、半袖または袖なしのものにすることもできる。
・上記実施形態では、前面接続部７０を設けたが、図７に示されるように前面接続部７０および第１下腹部３４および第２下腹部４４を省略するとともに、第１胴部３２および第２胴部４２を前身頃１１の中心に向けて延長し、第１連動部３０と第２連動部４０とを互いに縫い合わせることもできる。
【０１８０】
・上記実施形態では、第１重なり部３３と第２重なり部４３とが互いに縫い付けられない構成としたが、第１重なり部３３と第２重なり部４３とが互いに縫い付けられる構成とすることもできる。このとき、接続部６１および接続部６２の少なくとも一方を省略することもできる。
【０１８１】
・上記実施形態では、第１連動部３０と第２連動部４０とが重なり合う部分において、後身頃１２の裏面側から第１重なり部３３および第２重なり部４３および第１接続部６１および第２接続部６２の順で各生地が重なり合う構造を採用したが、重なり合う順は適宜変更することができる。例えば、裏面側から第２接続部６２および第１接続部６１および第２重なり部４３および第１重なり部３３の順で各生地が重なり合う構造とすることもできる。また、裏面側から第１重なり部３３および第１接続部６１および第２重なり部４３および第２接続部６２の順で各生地が重なり合う構造とすることもできる。
【０１８２】
・上記実施形態では、袖口１３Ａ，１４Ａに摩擦の大きな生地からなる袖ずれ抑制部１３Ｍを設けたが、これに加えてまたは代えて、以下の（Ａ）〜（Ｃ）のいずれかのずれ抑制部を設けることもできる。
（Ａ）袖口１３Ａ，１４Ａに通される紐により構成される袖ずれ抑制部を設けることもできる。この場合、紐を結ぶことによって袖口１３Ａ，１４Ａを絞ることによりずれが抑制される。
（Ｂ）袖口１３Ａに設けられる面ファスナにより構成される袖ずれ抑制部を設けることもできる。この場合、面ファスナによって袖口１３Ａ，１４Ａを絞ることによりずれが抑制される。
（Ｃ）袖口１３Ａの一部を延長し、指に引っ掛ける袖ずれ抑制部。
【０１８３】
・上記実施形態では、左脇部５２の右側に後左中間部５３を設けたが、図８に示されるように、後左中間部５３を省略することもできる。このとき、後身頃１２において、左分離部５４および背面上基礎部２３の縫い目、第１胴部３２および第１接続部６１の縫い目、第２胴部４２および第２接続部６２の縫い目、および左下基礎部２５および背面下基礎部２４の縫い目を不連続にすることもできる。
【０１８４】
・上記実施形態では、右脇部５５の左側に後右中間部５６を設けたが、図８に示されるように、後右中間部５６を省略することもできる。このとき、後身頃１２において、右分離部５７および背面上基礎部２３の縫い目、第２胴部４２および第２接続部６２の縫い目、第１胴部３２および第１接続部６１の縫い目、および右下基礎部２６および背面下基礎部２４の縫い目を不連続にすることもできる。
【０１８５】
・上記実施形態では、基礎部２０と第１連動部３０と第２連動部４０と補助連動部５０と接続部６０とを互いに縫い合わせることによりシャツ１を形成したが、基礎部２０のみから構成されるシャツの外側に第１連動部３０と第２連動部４０と補助連動部５０とを縫い付けたシャツとすることもできる。
【０１８６】
・上記実施形態では、着用者の身体に密着するシャツ１に本発明を適用したが、シャツの上から着る上衣に本発明を適用することもできる。また、水着のようなスポーツ用の被服に本発明を適用することもできる。また、サポーターとすることもできる。
【０１８７】
図９に示されるように、本発明の一実施形態としてのサポーターは、緊締力の大きい第１ベルト３５により構成される第１連動部３０と、緊締力の大きい第２ベルト４５により構成される第２連動部４０とを備えるサポーターが設けられる。
【０１８８】
第１ベルト３５は、着用者の左肩に巻きつけられる左肩部３６と、左肩部３６から背面の中間部に対応する部分を斜めに横断する第１横断部３７と、前面の右脇腹に対応する右腹部３８とを備えている。第２ベルト４５は、着用者の右肩に巻きつけられる右肩部４６と、右肩部４６から背面の中間部に対応する部分を斜めに横断する第２横断部４７と、前面の左脇腹に対応する左腹部４８とを備えている。
【０１８９】
第１横断部３７および第２横断部４７は、背中の中央において互いに重ね合わせられる。第１横断部３７と第２横断部４７とは互いに縫い合わせられずに独立している。右腹部３８および左腹部４８の一方には面ファスナが設けられている。右腹部３８および左腹部４８は、腹部の中心において互いに重ね合わせられた状態で面ファスナにより互いに固定される。
【０１９０】
・上記実施形態では、補助連動部５０を中緊締力生地により形成したが、強緊締力生地により形成することもできる。
・上記実施形態では、前面接続部７０を中緊締力生地により形成したが、図７に示されるように、前面接続部７０を弱緊締力生地により形成される接続部２２にすることもできる。
【０１９１】
・上記実施形態では、前面接続部７０を中緊締力生地により形成したが、前面接続部７０を強緊締力生地により形成することもできる。
・上記実施形態では、第１連動部３０および第２連動部４０強緊締力生地により形成し、補助連動部５０を中緊締力生地により形成したが、これら連動部３０，４０，５０の少なくとも１つをゴム等に変更することもできる。
【符号の説明】
【０１９２】
１…シャツ、１１…前身頃、１２…後身頃、１３…左袖、１３Ａ…袖口、１３Ｍ…袖ずれ抑制部（ずれ抑制部）、１４…右袖、１４Ａ…袖口、１５…裾、１５Ｍ…裾ずれ抑制部、２０…基礎部、２１…前面上基礎部、２３…背面上基礎部、２４…背面下基礎部、２５…左下基礎部、２５Ａ…前面側左下基礎部、２５Ｂ…背面側左下基礎部、２６…右下基礎部、２６Ａ…前面側右下基礎部、２６Ｂ…背面側右下基礎部、２７…左袖基礎部、２８…右袖基礎部、３０…第１連動部、３１…左腕部、３２…第１胴部、３３…第１重なり部、３４…第１下腹部、４０…第２連動部、４１…右腕部、４２…第２胴部、４３…第２重なり部、４４…第２下腹部、５０…補助連動部、５１…中間部、５２…左脇部、５３…後左中間部、５４…左分離部、５５…右脇部、５６…後右中間部、５７…右分離部、６０…接続部、６１…第１接続部、６２…第２接続部、７０…前面接続部。
【要約】
【課題】着用者の腕の動きに合わせて体幹の下部を動かすことができる運動補助着を提供する。
【解決手段】体幹の回旋運動を促すことにより消費カロリーを増加させる運動補助着としてのシャツ１には、着用者の腕の動きにともない体幹に力を付与する第１連動部３０および第２連動部４０が設けられる。第１連動部３０は、後身頃１２の左脇に対応する部分から、後身頃１２の中間部分を横断して前身頃の右脇腹までにわたり設けられる。第２連動部４０は、後身頃１２の右脇に対応する部分から、後身頃１２の中間部分を横断して前身頃の左脇腹までにわたり設けられる。
【選択図】図２【図１】
0004834175.tif 000002
【図２】
0004834175.tif 000003
【図３】
0004834175.tif 000004
【図４】
0004834175.tif 000005
【図５】
0004834175.tif 000006
【図６】
0004834175.tif 000007
【図７】
0004834175.tif 000008
【図８】
0004834175.tif 000009
【図９】
0004834175.tif 000010